(57)【要約】      （修正有）【課題】足置き部材の収納角度位置への位置付け、また載置角度位置への位置付けを容易に行うことができる車椅子を提供すること。【解決手段】座席部２が設けられた車椅子本体４と、車椅子本体４の後部に回転自在に支持された駆動車輪６と、その前部に回転自在に支持された補助車輪８と、足を載せるフットレスト構造２０とを備えた車椅子。フットレスト構造は、左右支持アーム２６，３０と、左右支持アームに設けられた左右支持軸３２，３６と、左右支持軸に収納角度位置と載置角度位置との間を揺動自在支持された左右足置き部材３４，３８と、左右足置き部材を対応する左右支持軸を中心として収納角度位置に向けて弾性的に偏倚する左右弾性偏倚部材５０，５２とを備え、左右足置き部材は、左右弾性偏倚部材により収納角度位置に弾性的に保持される。【選択図】図１
2020185210.tif 000002
【特許請求の範囲】
【請求項１】
座席部が設けられた車椅子本体と、前記車椅子本体の後部に回転自在に支持された駆動車輪と、前記車椅子本体の前部に回転自在に支持された補助車輪と、前記車椅子本体の前部に設けられたフットレスト構造と、を備えた車椅子において、
前記フットレスト構造は、前記車椅子本体から下方に延びる支持アームと、前記支持アームに設けられた支持軸と、前記支持軸に収納角度位置と載置角度位置との間を揺動自在支持された足置き部材と、前記足置き部材を前記支持軸を中心として前記収納角度位置に向けて弾性的に偏倚する弾性偏倚部材とを備え、前記足置き部材は、前記弾性偏倚部材の作用によって前記収納角度位置に弾性的に保持されることを特徴とする車椅子。
【請求項２】
前記フットレスト構造は、前記車椅子本体の右側部及び左側部から下方に延びる右支持アーム及び左支持アームと、前記右支持アーム及び前記左支持アームに設けられた右支持軸及び左支持軸と、前記右支持軸及び前記右支持軸に前記収納角度位置と前記載置角度位置との間を揺動自在に支持された右足置き部材及び左足置き部材と、前記右足置き部材及び前記左足置き部材を前記収納角度位置に向けて弾性的に偏倚する右弾性偏倚部材及び左弾性偏倚部材と、を備えていることを特徴とする請求項１に記載の車椅子。
【請求項３】
前記右弾性偏倚部材は右ねじりコイルばねから構成され、前記右ねじりコイルばねの一端側は、前記右支持軸に取り付けられた右スリーブ部材に装着され、その他端側は、前記右足置き部材に作用して前記収納角度位置に向けて弾性的に偏倚するように構成されており、また前記左弾性偏倚部材は左ねじりコイルばねから構成され、前記左ねじりコイルばねの一端側は、前記左支持軸に取り付けられた左スリーブ部材に装着され、その他端側は、前記左足置き部材に作用して前記収納角度位置に向けて弾性的に偏倚するように構成されていることを特徴とする請求項２に記載の車椅子。
【請求項４】
前記右足置き部材の両側部に一対の右ねじりコイルばねが設けられ、前記一対の右ねじりコイルばねの外側に一対の右スリーブ部材が設けられ、前記一対の右ねじりコイルばねの一端側は、対応する右スリーブ部材に装着され、それらの他端側は、前記右足置き部材に作用して前記収納角度位置に向けて弾性的に偏倚するように構成されており、また前記左足置き部材の両側部に一対の左ねじりコイルばねが設けられ、前記一対の左ねじりコイルばねの外側に一対の左スリーブ部材が設けられ、前記一対の左ねじりコイルばねの一端側は、対応する左スリーブ部材に装着され、それらの他端側は、前記左足置き部材に作用して前記収納角度位置に向けて弾性的に偏倚するように構成されていることを特徴とする請求項３に記載の車椅子。
【請求項５】
前記右足置き部材の基部には後側に突出する右後突出部が設けられ、前記右後突出部が前記右支持軸に揺動自在に支持され、前記載置角度位置まで揺動すると、前記右足置き部材の後端面が前記右支持アームに当接し、前記収納角度位置まで揺動すると、前記右足置き部材の載置面が前記右支持アームに当接し、また前記左足置き部材の基部には後側に突出する左後突出部が設けられ、前記左後突出部が前記左支持軸に揺動自在に支持され、前記載置角度位置まで揺動すると、前記左足置き部材の後端面が前記左支持アームに当接し、前記収納角度位置まで揺動すると、前記左足置き部材の載置面が前記左支持アームに当接することを特徴とする請求項２〜４のいずれかに記載の車椅子。
【発明の詳細な説明】
【技術分野】
【０００１】
本発明は、足、腰などが弱くなった患者、老人、身体障害者などが利用する車椅子に関する。
【背景技術】
【０００２】
患者、老人、身体障害者などが利用する車椅子として、患者（老人、身体障害者など）を座らせた状態で手で押して移動させるものが知られている（例えば、特許文献１参照）。この車椅子は、座席部を備えた車椅子本体と、車椅子本体の後部に支持された一対の駆動車輪と、この車椅子本体の前部に支持された一対の補助車輪と、この車椅子本体の前部に設けられたフットレスト構造とを備え、この車椅子を移動させる際には、例えば車椅子本体に設けられた一対のハンドルを手で押して移動させる。また、フットレスト構造は、車椅子本体に設けられた右支持アーム及び左支持アームと、右支持アーム及び左支持アームに設けられた右支持軸及び左支持軸と、この右支持軸及び左支持軸に揺動自在に支持された右足置き部材及び左足置き部材とを有している。
【０００３】
このような車椅子では、患者（老人、身体障害者など）は車椅子本体の座席部に座って乗り、乗った後に右足置き部材及び左足置き部材を載置角度位置に位置付け、乗った状態の患者の右足及び左足を右足置き部材及び左足置き部材に載置するようになる。尚、患者が車椅子から降りるときには、右足置き部材及び左足置き部材は、載置角度位置から収納角度位置に位置付けられ、このように収納角度位置に位置付けることにより、車椅子からの乗り降りが容易となる。
【先行技術文献】
【特許文献】
【０００４】
【特許文献１】特開平１０−１２７６８７号公報
【発明の概要】
【発明が解決しようとする課題】
【０００５】
しかしながら、従来の車椅子では、右足置き部材及び左足置き部材の収納角度位置から載置角度位置への揺動、また載置角度位置から収納角度位置への揺動は、看護師、介助者などが屈まって手で行っており、それ故に、これらの位置付け作業が煩雑であるとともに、右足置き部材及び左足置き部材を触る手が汚れ、衛生上好ましくないという問題がある。
【０００６】
本発明の目的は、足置き部材の収納角度位置への位置付け、また載置角度位置への位置付けを容易に行うことができる車椅子を提供することである。
【課題を解決するための手段】
【０００７】
本発明の請求項１に記載の車椅子は、座席部が設けられた車椅子本体と、前記車椅子本体の後部に回転自在に支持された駆動車輪と、前記車椅子本体の前部に回転自在に支持された補助車輪と、前記車椅子本体の前部に設けられたフットレスト構造と、を備えた車椅子において、
前記フットレスト構造は、前記車椅子本体から下方に延びる支持アームと、前記支持アームに設けられた支持軸と、前記支持軸に収納角度位置と載置角度位置との間を揺動自在支持された足置き部材と、前記足置き部材を前記支持軸を中心として前記収納角度位置に向けて弾性的に偏倚する弾性偏倚部材とを備え、前記足置き部材は、前記弾性偏倚部材の作用によって前記収納角度位置に弾性的に保持されることを特徴とする。
【０００８】
また、本発明の請求項２に記載の車椅子では、前記フットレスト構造は、前記車椅子本体の右側部及び左側部から下方に延びる右支持アーム及び左支持アームと、前記右支持アーム及び前記左支持アームに設けられた右支持軸及び左支持軸と、前記右支持軸及び前記右支持軸に前記収納角度位置と前記載置角度位置との間を揺動自在に支持された右足置き部材及び左足置き部材と、前記右足置き部材及び前記左足置き部材を前記収納角度位置に向けて弾性的に偏倚する右弾性偏倚部材及び左弾性偏倚部材と、を備えていることを特徴とする。
【０００９】
また、本発明の請求項３に記載の車椅子では、前記右弾性偏倚部材は右ねじりコイルばねから構成され、前記右ねじりコイルばねの一端側は、前記右支持軸に取り付けられた右スリーブ部材に装着され、その他端側は、前記右足置き部材に作用して前記収納角度位置に向けて弾性的に偏倚するように構成されており、また前記左弾性偏倚部材は左ねじりコイルばねから構成され、前記左ねじりコイルばねの一端側は、前記左支持軸に取り付けられた左スリーブ部材に装着され、その他端側は、前記左足置き部材に作用して前記収納角度位置に向けて弾性的に偏倚するように構成されていることを特徴とする。
【００１０】
また、本発明の請求項４に記載の車椅子では、前記右足置き部材の両側部に一対の右ねじりコイルばねが設けられ、前記一対の右ねじりコイルばねの外側に一対の右スリーブ部材が設けられ、前記一対の右ねじりコイルばねの一端側は、対応する右スリーブ部材に装着され、それらの他端側は、前記右足置き部材に作用して前記収納角度位置に向けて弾性的に偏倚するように構成されており、また前記左足置き部材の両側部に一対の左ねじりコイルばねが設けられ、前記一対の左ねじりコイルばねの外側に一対の左スリーブ部材が設けられ、前記一対の左ねじりコイルばねの一端側は、対応する左スリーブ部材に装着され、それらの他端側は、前記左足置き部材に作用して前記収納角度位置に向けて弾性的に偏倚するように構成されていることを特徴とする。
【００１１】
更に、本発明の請求項５に記載の車椅子では、前記右足置き部材の基部には後側に突出する右後突出部が設けられ、前記右後突出部が前記右支持軸に揺動自在に支持され、前記載置角度位置まで揺動すると、前記右足置き部材の後端面が前記右支持アームに当接し、前記収納角度位置まで揺動すると、前記右足置き部材の載置面が前記右支持アームに当接し、また前記左足置き部材の基部には後側に突出する左後突出部が設けられ、前記左後突出部が前記左支持軸に揺動自在に支持され、前記載置角度位置まで揺動すると、前記左足置き部材の後端面が前記左支持アームに当接し、前記収納角度位置まで揺動すると、前記左足置き部材の載置面が前記左支持アームに当接することを特徴とする。
【発明の効果】
【００１２】
本発明の請求項１に記載の車椅子によれば、車椅子本体のフットレスト構造は、車椅子本体から下方に延びる支持アームと、支持アームに設けられた支持軸と、支持軸に揺動自在支持された足置き部材と、この足置き部材を弾性的に偏倚する弾性偏倚部材とを備え、この弾性偏倚部材は、足置き部材を収納角度位置に向けて弾性的に偏倚するので、車椅子本体に乗っていないときには、この足置き部材が弾性偏倚部材の作用によって収納角度位置に保持され、これによって、車椅子本体への乗り降りが容易となる。また、足置き部材に足を載せるときには、車椅子本体の座席部に座った状態において足で足置き部材を押して載置角度位置まで揺動すればよく、足の力を利用して簡単に載置角度位置に移動させることができる。更に、収納角度位置への位置付け、また載置角度位置への位置付けは、介護者、看護師などが手でもって行う必要がなく、これにより、手の汚れを気にせず衛生的に行うことができる。
【００１３】
また、本発明の請求項２に記載の車椅子によれば、フットレスト構造は、車椅子本体から下方に延びる右支持アーム及び左支持アームと、右支持アーム及び左支持アームに設けられた右支持軸及び左支持軸に揺動自在に支持された右足置き部材及び左足置き部材と、右足置き部材及び左足置き部材を収納角度位置に向けて弾性的に偏倚する右弾性偏倚部材及び左弾性偏倚部材とを備えているので、右足置き部材及び左足置き部材から右足及び左足を下ろしたときには、右足置き部材及び左置き部材が右弾性偏倚部材及び左弾性偏倚部材により載置角度位置から収納角度位置に位置付けられ、これにより、車椅子本体への乗り降りが容易となる。
【００１４】
また、本発明の請求項３に記載の車椅子によれば、右弾性偏倚部材は右ねじりコイルばねから構成され、右ねじりコイルばねの一端側は、右支持軸に取り付けられた右スリーブ部材に装着され、その他端側が右足置き部材に作用するので、この右ねじりコイルばねの弾性作用によって、右足置き部材を収納角度位置に向けて偏倚させることができる。また、左弾性偏倚部材は左ねじりコイルばねから構成され、左ねじりコイルばねの一端側は、左支持軸に取り付けられた左スリーブ部材に装着され、その他端側が左足置き部材に作用するので、この左ねじりコイルばねの弾性作用によって、左足置き部材を収納角度位置に向けて偏倚させることができる。
【００１５】
また、本発明の請求項４に記載の車椅子によれば、右足置き部材の両側部に一対の右ねじりコイルばねが設けられ、一対の右ねじりコイルばねの一端側は、対応する右スリーブ部材に装着され、それらの他端側が右足置き部材に作用するので、一対の右ねじりコイルばねの弾性作用によって、右足置き部材を収納角度位置に向けて確実に偏倚させることができる。また、左足置き部材の両側部に一対の左ねじりコイルばねが設けられ、一対の左ねじりコイルばねの一端側は、対応する左スリーブ部材に装着され、それらの他端側が左足置き部材に作用するので、一対の左ねじりコイルばねの弾性作用によって、左足置き部材を収納角度位置に向けて確実に偏倚させることができる。
【００１６】
更に、本発明の請求項５に記載の車椅子によれば、右足置き部材を載置角度位置まで揺動すると、この右足置き部材の後端面が右支持アームに当接するので、この載置角度位置を越える揺動が阻止され、また収納角度位置まで揺動すると、右足置き部材の載置面が右支持アームに当接するので、この収納角度位置を越える揺動が阻止される。また、左足置き部材を載置角度位置まで揺動すると、この左足置き部材の後端面が左支持アームに当接するので、この載置角度位置を越える揺動が阻止され、また収納角度位置まで揺動すると、左足置き部材の載置面が左支持アームに当接するので、この収納角度位置を越える揺動が阻止される。
【図面の簡単な説明】
【００１７】
【図１】本発明に従う車椅子の一実施形態を示す斜視図。
【図２】図１の車椅子におけるフットレスト機構の一部を示す部分断面図。
【図３】図１の車椅子における右足置き部材の揺動を説明するための部分側面図。
【図４】変形形態のフットレスト機構の一部を示す部分断面図。
【図５】他の変形形態のフットレスト機構を備えた車椅子を示す斜視図。
【発明を実施するための形態】
【００１８】
以下、添付図面を参照して、本発明に従う車椅子の一実施形態について説明する。図１において、図示の車椅子１は、患者（老人、身体障害者など）が座って乗るための座席部２が設けられた車椅子本体４を備え、この車椅子本体４の後部に一対の駆動車輪６が回転自在に支持され、その前部に一対の補助車輪８が回転自在に支持されている。
【００１９】
この実施形態では、車椅子１は手動で走行する形態のものであり、このことに関連して、各駆動車輪６に対応してその外側に駆動リング１０（図１において、左側の駆動車輪１０に設けられたもののみを示す）が設けられ、この駆動リング１０が対応する駆動車輪６と一体的に回動するように連結されている。従って、座席部２に座って一対の駆動リング１０を前進方向（又は後進方向）に手で回動させると、かかる一対の駆動リング１０と一体的に一対の駆動車輪６が前進方向（又は後進方向）に回動し、これにより、車椅子１が前進（又は後進）する。
【００２０】
この車椅子本体４の後端部の両側部には一対のハンドル１２が設けられ、一対のハンドル１２は、上方に延びた後に後方に延びており、これら一対のハンドル１２を握って車椅子１を押して前進移動させる（又は引いて後進移動させる）。これらハンドル１２には、車椅子１を制動させるためのブレーキレバー１４が設けられている。
【００２１】
この車椅子本体４には、一対の駆動車輪６に対応してブレーキ機構１４が設けられている。ブレーキ機構１４は、ブレーキ操作するための制動レバー１６と、駆動車輪６を制動するための制動部材１８（左側の駆動車輪６に対応するもののみ示す）とを備え、制動レバー１６をブレーキ操作すると、制動部材１８が駆動車輪６の外周面に圧接されてブレーキ力が作用する。
【００２２】
この車椅子本体４の前部には、座席部２に座って乗った患者（老人、身体障害者など）が足を置くためのフットレスト構造２０が設けられている。図１とともに図２及び図３を参照して、図示のフットレスト構造２０は、車椅子本体４の本体フレーム構造２２の右横中間部材２４に設けられた右支持アーム２６と、この本体フレーム構造２２の左横中間部材２８に設けられた左支持アーム３０とを備え、この右支持アーム２６及び左支持アーム３０は右横中間部材２４及び左横中間部材２８の前端部から斜め下方に延びている。右支持アーム２６及び左支持アーム３０は、図示の実施形態のように右中間横部材２４及び左横中間部材２８と一体的に設けることができるが、例えば溶接などにより満ち横中間部材２４及び左横中間部材２８に固定するようにしてもよい。
【００２３】
この実施形態では、右支持アーム２６の下端部には内側に延びる右支持軸３２が設けられ、この右支持軸３２に右足置き部材３４が揺動自在に支持されている。また、左支持アーム３０の下端部には内側に（即ち、右支持軸３２に向けて）延びる左支持軸３６が設けられ、この左支持軸３６に左足置き部材３８が揺動自在に支持されている。このように構成されているので、右足置き部材３４及び左足置き部材３８は、横方向に延びる右支持軸３２及び左支持軸３６（これらが横方向に延びる揺動軸線を構成する）を中心として前後方向に揺動自在に支持されている。尚、右支持軸３２及び左支持軸３６は、右支持アーム２６及び左支持アーム３０に例えば溶接により固定される。
【００２４】
右支持軸３２への右足置き部材３４の支持構造４０と左支持軸３６への左足置き部材３８の支持構造４２とは、左右対称に構成されており、以下、片方の右足置き部材３４（左足置き部材３８）の支持構造４０（４２）について説明する。
【００２５】
主として図２及び図３を参照して、この実施形態では、右足置き部材３４（左足置き部材３８）は、足を置きための右足置き本体部４４（左足置き本体部）を備えている。このように右足置き本体部４４（左足置き本体部）の基部側には、後端側に突出する一対の右後突出部４６（左後突出部）が設けられ、かかる一対の右後突出部４６（左後突出部）の上突部が右支持軸３２（左支持軸３６）に揺動自在に支持されている。このように右足置き本体部４４（左足置き本体部）が右後突出部４６（左後突出部）を介して支持されているので、右足置き本体部４４（左足置き本体部）の両側後端部には、略矩形状の空間４８，４９が存在し、一方の空間４８内に右ねじりコイルばね５４（左ねじりコイルばね）が配設され、他方の空間４９内に右支持アーム２６は（左支持アーム３０）が位置するように構成されている。
【００２６】
このように構成されているので、右足置き本体部４４（左足置き本体部）を矢印５１（図３）で示す収納方向に揺動すると、図２及び図３に示すように、右足置き本体部４４（左足置き本体部）の載置面（足を載置する面）側の先端部が右支持アーム２６（左支持アーム３０）に当接する収納角度位置（図２に示すとともに、図３に実線で示す角度位置）に位置付けられる。この収納角度位置においては、右足置き本体部４４（左足置き本体部）は右支持アーム２６（左支持アーム３０）に沿って上方に傾斜して延び、右支持アーム２６（左支持アーム３０）によりこの収納角度位置を越える回動が阻止される。
【００２７】
また、この右足置き部材３４（左足置き部材３８）を矢印５４（図３）で示す載置方向に揺動すると、図３に一点鎖線で示すように、右足置き本体部４４（左足置き本体部）の右足置き本体部４４の後面が右支持アーム２６（左支持アーム３０）に当接して載置角度位置（図３に一点鎖線で示す角度位置）に位置付けられる。この載置角度位置においては、右足置き本体部４４（左足置き本体部）は略水平に延び、右支持アーム２６（左支持アーム３０）によりこの載置角度位置を越える回動が阻止される。
【００２８】
この実施形態では、更に、右足置き部材３４（左足置き部材３８）に関連して、右弾性偏倚部材５０（左弾性偏倚部材５２）が設けられている。右弾性偏倚部材５０（左弾性偏倚部材５２）は、例えば、右ねじりコイルばね５４（左ねじりコイルばね）から構成される。右支持軸３２（左支持軸３６）の先端部には、例えば固定用ねじ（図示せず）により右スリーブ部材５６（左スリーブ部材）が取り付けられ、右ねじりコイルばね５４（左ねじりコイルばね）の一端部５８が右スリーブ部材５６（左スリーブ部材）の取付孔６０に挿入固定され、その他端部６２が右足置き部材３４（左足置き部材３８）の裏面（載置面と反対側の面）に当接している。この他端部６２については、右足置き部材３４（左足置き部材３８）から外れないようにこれに取り付けるようにしてもよい。
【００２９】
この右弾性偏倚部材５０（左弾性偏倚部材５２）は、右足置き部材３４（左足置き部材３８）に作用してこれを矢印５１（図３）で示す収納方向（即ち、収納角度位置に向けて）に弾性的に偏倚し、従って、この右足置き部材３４（左足置き部材３８）は右弾性偏倚部材５０（左弾性偏倚部材５２）により上記収納角度位置に弾性的に保持される。
【００３０】
次に、上述した車椅子１の使用方法について説明する。この車椅子１を用いるには、患者（老人、身体障害者など）を車椅子本体４の座席部２に座らせ、座った状態の患者が右足でもって右足置き部材３４を矢印５４で示す方向に揺動させて載置角度位置に位置付けるとともに、左足でもって左足置き部材３８を揺動させて載置角度位置に位置付け、かく載置角度位置に位置付けた右足置き部材３４及び左足置き部材３８に右足及び左足を載せればよい。
【００３１】
この車椅子１を使用するときには、右弾性偏倚部材５０及び左弾性偏倚部材５２により右足置き部材３４及び左足置き部材３８が収納角度位置に保持されているので、この車椅子本体４に乗る際に、右足置き部材３４及び左足置き部材３８が邪魔にならず、車椅子本体４の座席部２に容易に座ることができる。そして、車椅子本体４の座席部２に座った後は、左右の足でもって右足置き部材３４及び左足置き部材３８を矢印５４で示す方向に揺動させて載置角度位置に位置付ければよく、看護師（介護者など）が右足置き部材３４及び左足置き部材３８を手でもって収納角度位置から載置角度位置に位置付けることなく、座った患者の足を利用して容易に載置角度位置に位置付けることができる。
【００３２】
尚、この車椅子本体４の座席部２から降りたときには、右足置き部材３４及び左足置き部材３８は、右弾性偏倚部材５０及び左弾性偏倚部材５２により収納角度位置に保持されるので、看護師（介護者など）が手でもって載置角度位置から収納角度位置に位置付けることなく、右弾性偏倚部材５０及び左弾性偏倚部材５２の弾性作用を利用して収納角度位置に位置付けることができる。
【００３３】
このような車椅子１では、上述したように、右足置き部材３４及び左足置き部材３８の載置角度位置への位置付け、またそれらの収納角度位置への位置付けを、看護師、介護者などの手を煩わすことなく行うことができるので、看護師、介護者などにとって優しく、使い勝手のよいものとして提供することができる。
【００３４】
このフットレスト機構については、図４に示すように構成するようにしてもよく、図４においては、右足置き部材及びそれに関連する構成について示しているが、左足置き部材及びそれに関連する構成については、上述したと同様に、右足置き部材及びそれに関連する構成と左右対称に構成される。尚、図４において、図１〜図３の実施形態と実質上同一の部材には同一の参照番号を付し、その説明を省略する。
【００３５】
図４において、この変形形態のフットレスト構造２０Ａにおいては、右足置き部材３４Ａ（左足置き部材）の右足置き本体部４４Ａ（左足置き本体部）の両側部、具体的には一対の右後突出部４６Ａ（左後突出部）の外側に、右弾性偏倚部材５２Ａ（左弾性偏倚部材）を構成する一対の右ねじりコイルばね５４Ａ，５５Ａ（左ねじりコイルばね）が配設され、これら一対の右ねじりコイルばね５４Ａ，５５Ａ（左ねじりコイルばね）の外側に一対の右スリーブ部材５６Ａ，５７Ａ（左スリーブ部材）が配設されている。一対の右スリーブ部材５６Ａ，５７Ａ（左スリーブ部材）は、例えば固定用ねじなどにより右支持軸３２（左支持軸）に固定され、一対の右ねじりコイルばね５４Ａ，５５Ａ（左ねじりコイルばね）の一端側５８Ａ，５９Ａは、対応する右スリーブ部材５６Ａ，５７Ａ（左スリーブ部材）の取付孔６０Ａ，６１Ａに挿入することにより取り付けられ、それらの他端側６２Ａ，６３Ａは、右足置き本体部４４Ａ（左足置き本体部）の裏面に当接して作用している。
【００３６】
これら一対の右ねじりコイルばね５４Ａ，５５Ａ（左ねじりコイルばね）は、右足置き本体部４４Ａ（左足置き本体部）に作用して収納角度位置に向けて弾性的に偏倚し、上述した実施形態と同様に、この右足置き本体部４４Ａ（左足置き本体部）は、その載置面が右支持アーム２６（左支持アーム）に当接することにより、この収納角度位置に弾性的に保持される。尚、この右足置き本体部４４Ａ（左足置き本体部）は、上述した実施形態と同様に、その後端面が右支持アーム２６（左支持アーム）に当接することにより、載置角度位置に保持される。
【００３７】
この変形形態のフットレスト機構２０Ａでは、右足置き本体部４４Ａ（左足置き本体部）の両側部に右ねじりコイルばね５４Ａ，５５Ａ（左ねじりコイルばね）が配設されているので、これら右ねじりコイルばね５４Ａ，５５Ａ（左ねじりコイルばね）からの弾性偏倚力が右足置き本体部４４Ａ（左足置き本体部）の両側部に作用し、これにより右足置き本体部４４Ａ（左足置き本体部）が収納角度位置に向けてして安定的に揺動される。
【００３８】
フットレスト機構については、図５に示すように構成するようにしてもよい。図５において、図示の車椅子１Ｂに装備されたフットレスト構造２０Ｂにおいては、右支持軸３２Ｂが右支持アーム２６Ｂの下端部から前方に延び、この右支持軸３２Ｂに右足置き部材３４Ｂが横方向に揺動自在に支持されており、また左支持軸３６Ｂが左支持アーム３０Ｂの下端部から前方に延び、この左支持軸３６Ｂに左足置き部材３８Ｂが横方向に揺動自在に支持されている。
【００３９】
右足置き部材３４Ｂ及び左足置き部材３８Ｂの右支持軸３２Ｂ及び左支持軸３６Ｂへの支持構造４０Ｂ，４２Ｂは、図１〜図３に示す実施形態と同様であり、以下右足置き部材３４Ｂ（左足置き部材３８Ｂ）の支持構造４０Ｂ（４２Ｂ）について概説する。右足置き部材３４Ｂ（左足置き部材３８Ｂ）の右足置き本体部４４Ｂ（左足置き本体部）には一対の右後突出部４６Ｂ（左後突出部）が設けられ、かかる右後突出部４６Ｂが右支持軸３２Ｂ（左支持軸３６Ｂ）に揺動自在に支持されている。この右支持軸３２Ｂ（左支持軸３６Ｂ）の先端部には右スリーブ部材５６Ｂ（左スリーブ部材）が装着され、この右スリーブ部材５６Ｂ（左スリーブ部材）と前側の右後突出部４６Ｂ（左後突出部）との間に、右弾性偏倚部材５０Ｂ（左弾性偏倚部材）を構成する右ねじりコイルばね５４Ｂ（左ねじりコイルばね）が右支持軸３２Ｂ（左支持軸３６Ｂ）を被嵌して配設されている。
【００４０】
右ねじりコイルばね５４Ｂ（左ねじりコイルばね）の一端側は、右スリーブ部材５６Ｂ（左スリーブ部材）の取付孔（図示せず）に挿入することにより取り付けられ、それらの他端側は、右足置き本体部４４Ｂ（左足置き本体部）の裏面に当接して作用し、右ねじりコイルばね５４Ｂ（左ねじりコイルばね）は、右足置き本体部４４Ｂ（左足置き本体部）に作用して収納角度位置に向けて弾性的に偏倚する。
【００４１】
この変形形態においても、上述した実施形態と同様に、この右足置き本体部４４Ｂ（左足置き本体部）は、右弾性偏倚部材５０Ｂ（左弾性偏倚部材５２Ｂ）の作用によって、その載置面が右支持アーム２６Ｂ（左支持アーム３０Ｂ）に当接することにより、右足置き本体部４４Ｂ（左足置き本体部）が上方に延びる収納角度位置に弾性的に保持され、また右足置き本体部４４Ｂ（左足置き本体部）の後端面が右支持アーム２６Ｂ（左支持アーム３０Ｂ）の下端部、具体的には右支持軸３２Ｂ（左支持軸３６Ｂ）より下方に突出する端部に当接することにより、右足置き本体部４４Ｂ（左足置き本体部）が水平方向に延びる載置角度位置、即ち図５に示す角度位置に保持される。従って、このようなフットレスト構造２０Ｂを採用しても、上述した実施形態と同様効果を達成することができる。
【００４２】
以上、本発明に従う車椅子の一実施形態について説明したが、本発明はかかる実施形態に限定されるものではなく、本発明の範囲を逸脱することなく種々の変更乃至修正が可能である。
【００４３】
例えば、上述した実施形態では、右足については右足置き部材３４に載置し且つ左足については左足置き部材３８に載置する形態のものに適用して説明したが、このような構成に限定されず、右足及び左足を共通の一つの足置き部材に載置する形態のものにも同様に適用することができる。
【００４４】
また、例えば、上述した実施形態では、手で押して移動させる形態の手動式の車椅子に適用して説明したが、例えば電動モータなどを利用した電動式の車椅子にも同様に適用することができる。
【符号の説明】
【００４５】
１，１Ｂ  車椅子
２  座席部
４  車椅子本体
２０，２０Ａ，２０Ｂ  フットレスト機構
２６，２６Ａ，２６Ｂ，３０，３０Ｂ  支持アーム
３２，３６  支持軸
３４，３４Ａ，３４Ｂ，３８，３８Ｂ  足置き部材
４０，４０Ｂ，４２，４２Ｂ  支持構造
４４，４４Ａ，４４Ｂ  足置き本体部
５０，５０Ｂ，５２，５２Ｂ  弾性偏倚部材
５４，５４Ａ，５４Ｂ，５５Ａ  ねじりコイルばね
【図１】
2020185210.tif 000003
【図２】
2020185210.tif 000004
【図３】
2020185210.tif 000005
【図４】
2020185210.tif 000006
【図５】
2020185210.tif 000007